(57)【要約】【課題】  床や壁の色などの建築仕様書に記載された部屋のデータ入力の手間も、現実の部屋の建築も不要であって、建築図面を起こしたばかりの状態でも、仮想的に家具の設置イメージを把握できる装置等を提供する。【解決手段】  図表示用紙２０上に、マンションの間取り図面２２と、仮想の家具を設置する位置を特定する位置マーカー２１とを表示する。携帯端末１のカメラ４で図面２２と位置マーカー２１とを撮影する。位置マーカー２１に基づいて仮想の家具の表示位置を特定する。また、位置マーカー２１の大きさに基づいて仮想の家具の縮尺率も特定する。特定された表示位置に、特定された縮尺率で仮想の家具を表し、それを図面２２の画像に重ね合わせて仮想現実画像を作成し、それを携帯端末１の表示モニタ４に表示する。【選択図】  図１
2016189124.tif 000002
【特許請求の範囲】
【請求項１】
仮想物の画像を、現実にある物体の画像に重ね合わせた仮想現実画像を作成する仮想現実作成装置において、
紙面上に表された図と同一紙面上に表示されたものであって、前記紙面の表面の位置を特定する位置マーカーの情報を取得する位置マーカー情報取得手段と、
前記仮想物を前記表面の位置に表示した画像を、前記図の画像に重ね合わせた仮想現実画像を作成する仮想現実画像作成手段と、
を備えることを特徴とする仮想現実作成装置。
【請求項２】
前記仮想物の表示サイズは、前記位置マーカーの大きさに応じて決定されることを特徴とする請求項１記載の仮想現実作成装置。
【請求項３】
前記図は建物の間取り図面であり、
前記仮想物は室内設置物であり、
前記仮想現実画像は、前記図面の上に前記室内設置物を置いた画像を含むことを特定することを特徴とする請求項１記載の仮想現実作成装置。
【請求項４】
前記位置マーカーの情報には前記室内設置物の種類を特定する種類特定情報が含まれ、
前記仮想現実画像に含まれる前記室内設置物は、前記種類特定情報により特定されることを特徴とする請求項１記載の仮想現実作成装置。
【請求項５】
前記紙面には、その紙面とは別体の用紙が貼り付けられており、
前記位置マーカーは前記別体の用紙に表示されていることを特徴とする請求項１記載の仮想現実作成装置。
【請求項６】
仮想物の画像を、現実にある物体の画像に重ね合わせた仮想現実画像を作成する仮想現実作成プログラムにおいて、
コンピュータを、
紙面上に表された図と同一紙面上に表示されたものであって、前記紙面の表面の位置を特定する位置マーカーの情報を取得する位置マーカー情報取得手段、
前記仮想物を前記表面の位置に表示した画像を、前記図の画像に重ね合わせた仮想現実画像を作成する仮想現実画像作成手段、
として機能させることを特徴とする仮想現実作成プログラム。
【請求項７】
仮想物の画像を、現実にある物体の画像に重ね合わせた仮想現実画像を作成する仮想現実作成方法において、
位置マーカー情報取得手段が、紙面上に表された図と同一紙面上に表示されたものであって、前記紙面の表面の位置を特定する位置マーカーの情報を取得するステップと、
仮想現実画像作成手段が、前記仮想物を前記表面の位置に表示した画像を、前記図の画像に重ね合わせた仮想現実画像を作成するステップと、
を実行することを特徴とする仮想現実作成方法。
【請求項８】
同一紙面上に、図と、前記紙面の表面の位置を特定する位置マーカーと、
を表示したことを特徴とする図表示用紙。
【請求項９】
同一紙面上に、図面作成の補助をするための補助線と、前記紙面の表面の位置を特定する位置マーカーと、
を表示したことを特徴とする製図用紙。
【請求項１０】
前記位置マーカーの検知が不能となった場合に、前記位置マーカーの代替えとなる代替マークを、前記紙面上に表示したことを特徴とする請求項９記載の製図用紙。
【請求項１１】
前記代替マークは、前記紙面上に複数表示されるものであり、
複数の前記代替マークは、各々異なる形状または異なる模様または異なる色により構成されていることを特徴とする請求項１０記載の製図用紙。
【発明の詳細な説明】
【技術分野】
【０００１】
本発明は、仮想現実作成装置、仮想現実作成プログラム、仮想現実作成方法、図表示用紙、製図用紙に関し、特に、間取り図面の画像と家具の仮想画像とを重ね合わせた仮想現実画像を作成する仮想現実作成装置等に関するものである。
【背景技術】
【０００２】
近年、仮想現実を作り出す様々な技術が開発され、多くの分野で使用されている。
仮想現実技術の一種として、３次元コンピュータグラフィックス技術がある。
非特許文献１は、この３次元コンピュータグラフィックス技術で作成した仮想画像を利用した家具選びのシステムである。これはコンピュータが部屋の内部空間の仮想画像と、家具の仮想画像を作り、双方を合成することにより、その部屋に合う家具選びを行うものである。この技術を利用すれば、建築前であっても部屋と家具のイメージを仮想的に把握することができるので、部屋のイメージに合致した家具を簡易迅速に選ぶことができる。
【０００３】
しかし、この技術を利用するためには、床や壁の寸法など間取り図面に表された情報のほか、床や壁の色などの建築仕様書に記載された部屋の情報などをコンピュータに入力する必要がある。よって、このシステムを実施するには、多大な手間と費用がかかっていた。
また、このシステムは、間取り図面と建築仕様書双方が完成していないと実施できないので、間取り図面だけが完成したという状態では実施できなかった。
【０００４】
これに対し、ＡＲ（Ａｕｇｍｅｎｔｅｄ  Ｒｅａｌｉｔｙ、拡張現実）技術と呼ばれる仮想技術がある。この技術は、コンピュータが、現実にある物体を写し撮った画像と、コンピュータが作り出した仮想物の画像とを重ね合わせることにより、仮想現実を作り出す技術である。
非特許文献２は、このＡＲ技術を利用した家具選びシステムである。このシステムは仮想家具の表示位置を特定する位置マーカーを利用するものであり、まず実在する部屋の任意の場所にこの位置マーカーを置く。そして、位置マーカーが置かれた部屋を携帯端末で撮影する。これにより、携帯端末は、位置マーカーの位置に仮想家具を表した画像を表示し、それと部屋の画像とを重ね合わせて仮想現実画像を作成し、それを家具購入希望者に閲覧させて家具選びをさせるものである。
このＡＲ技術を使えば、家具のデータを入力するだけで足り、床や壁の色などの建築仕様書に記載された部屋のデータを入力する必要がないので、３次元コンピュータグラフィックス技術よりも、大幅に手間と費用が軽減される。
【先行技術文献】
【特許文献】
【０００５】
【非特許文献１】ｈｔｔｐ：／／ｗｗｗ．ｌｉｆｅｓｔｙｌｅ３ｄ．ｎｅｔ／、株式会社  リビングスタイルホームページ  ＬＩＦＳＴＹＬＥ  ３Ｄ  ＮＥＴＷＯＲＫ  新しい形のインテリアコーディネートの形、検索日２０１５年３月１８日
【非特許文献２】ｈｔｔｐ：／／ｎｅｗｓ．ｌｉｖｅｄｏｏｒ．ｃｏｍ／ａｒｔｉｃｌｅ／ｄｅｔａｉｌ／７４６９７１２／、ｌｉｖｅｄｏｏｒニュース  お部屋で手軽にカタログ家具をシミュレーション  イオンのＡＲアプリ、検索日２０１５年３月１８日
【発明の概要】
【発明が解決しようとする課題】
【０００６】
しかし、このシステムは、現実に部屋があることが前提であり、現実に部屋がない場合には利用できない。すなわち、３次元コンピュータグラフィックス技術と同様、間取りを図面だけが完成しているという状態では利用できないのである。
このように、仮想現実技術を利用した家具選びに関する従来のシステムは、間取りを図面だけが完成しているという状態で家具選びを可能にするという発想はなく、それを実現する具体的手段もこれまで考えられていなかったのである。
【０００７】
本発明は、このような課題を解決するためのものであり、間取り図面しかできていない場合であっても、仮想現実技術を利用した家具選びを可能にするものであり、図面上で仮想的に家具の設置イメージを把握できる装置等を提供するものである。
【課題を解決するための手段】
【０００８】
上記問題を解決するため、本発明では、仮想物の画像を、現実にある物体の画像に重ね合わせた仮想現実画像を作成する仮想現実作成装置において、紙面上に表された図と同一紙面上に表示されたものであって、前記紙面の表面の位置を特定する位置マーカーの情報を取得する位置マーカー情報取得手段と、前記仮想物を前記表面の位置に表示した画像を、前記図の画像に重ね合わせた仮想現実画像を作成する仮想現実画像作成手段とを備えることを特徴とする仮想現実作成装置が提供される。
【０００９】
本発明に係る仮想現実作成装置は、紙面上に表された図と同一紙面上に表示されたものであって、前記紙面の表面の位置を特定する位置マーカーの情報を取得する位置マーカー情報取得手段と、前記仮想物を前記表面の位置に表示した画像を、前記図の画像に重ね合わせた仮想現実画像を作成する仮想現実画像作成手段とを備える。
これにより、紙面上に表された図と同一紙面上に表示されたものであって、紙面の表面の位置を特定する位置マーカーの情報を取得し、仮想物をその表面の位置に表示した画像を、図の画像に重ね合わせた仮想現実画像を作成する。
【００１０】
上記問題を解決するため、本発明では、仮想物の画像を、現実にある物体の画像に重ね合わせた仮想現実画像を作成する仮想現実作成プログラムにおいて、コンピュータを、紙面上に表された図と同一紙面上に表示されたものであって、前記紙面の表面の位置を特定する位置マーカーの情報を取得する位置マーカー情報取得手段、前記仮想物を前記表面の位置に表示した画像を、前記図の画像に重ね合わせた仮想現実画像を作成する仮想現実画像作成手段、として機能させることを特徴とする仮想現実作成プログラムが提供される。
【００１１】
本発明に係る仮想現実作成プログラムは、紙面上に表された図と同一紙面上に表示されたものであって、コンピュータを、前記紙面の表面の位置を特定する位置マーカーの情報を取得する位置マーカー情報取得手段、前記仮想物を前記表面の位置に表示した画像を、前記図の画像に重ね合わせた仮想現実画像を作成する仮想現実画像作成手段として機能させる。
これにより、紙面上に表された図と同一紙面上に表示されたものであって、紙面の表面の位置を特定する位置マーカーの情報を取得し、仮想物をその表面の位置に表示した画像を、図の画像に重ね合わせた仮想現実画像を作成する。
【００１２】
上記問題を解決するため、本発明では、仮想物の画像を、現実にある物体の画像に重ね合わせた仮想現実画像を作成する仮想現実作成方法において、位置マーカー情報取得手段が、紙面上に表された図と同一紙面上に表示されたものであって、前記紙面の表面の位置を特定する位置マーカーの情報を取得するステップと、仮想現実画像作成手段が、前記仮想物を前記表面の位置に表示した画像を、前記図の画像に重ね合わせた仮想現実画像を作成するステップとを実行することを特徴とする仮想現実作成方法が提供される。
【００１３】
本発明に係る仮想現実作成方法は、位置マーカー情報取得手段が、紙面上に表された図と同一紙面上に表示されたものであって、前記紙面の表面の位置を特定する位置マーカーの情報を取得するステップと、仮想現実画像作成手段が、前記仮想物を前記表面の位置に表示した画像を、前記図の画像に重ね合わせた仮想現実画像を作成するステップとを実行する。
これにより、紙面上に表された図と同一紙面上に表示されたものであって、紙面の表面の位置を特定する位置マーカーの情報を取得し、仮想物をその表面の位置に表示した画像を、図の画像に重ね合わせた仮想現実画像を作成する。
【００１４】
上記問題を解決するため、本発明では、同一紙面上に、図と、前記紙面の表面の位置を特定する位置マーカーとを表示したことを特徴とする図表示用紙が提供される。
【００１５】
本発明に係る図表示用紙は、同一紙面上に、図と、前記紙面の表面の位置を特定する位置マーカーとを表示する。これにより、図と紙面の表面の位置が特定される。
【００１６】
本発明に係る製図用紙は、同一紙面上に、図面作成の補助をするための補助線と、紙面の表面の位置を特定する位置マーカーとを表示したことを特徴とする製図用紙が提供される。これにより、補助線上に描かれる図と、紙面の表面の位置が特定される。
【発明の効果】
【００１７】
本発明は、紙面上に表された図と同一紙面上に表示されたものであって、紙面の表面の位置を特定する位置マーカーの情報を取得し、仮想物をその表面の位置に表示した画像を、図の画像に重ね合わせた仮想現実画像を作成する。
このようにすれば、間取り図面だけが完成している状態であっても、家具購入希望者は、図面上に家具を置いたイメージを閲覧することができ、その間取りに合致した家具を選ぶことができる。すなわち、家具購入希望者は、現実に部屋が建築されていない場合や、建築仕様書が完成していない場合であっても、図面上において家具の設置イメージを把握することができるのである。
【図面の簡単な説明】
【００１８】
【図１】本発明のハードウェア構成および機能構成の一例を表す図である。
【図２】図表示用紙を表す図である。
【図３】図面を撮影した状態を表す図である。
【図４】図面上にテーブルを表示した状態を表す図である。
【図５】図面上でテーブルを移動させた状態を表す図である。
【図６】縮尺データの一例を表す図である。
【図７】第一の家具データを表した図である。
【図８】第二の家具データを表した図である。
【図９】本発明を実施するためのフローチャートである。
【図１０】ＳＴＥＰ２の詳細な処理を表すフローチャートである。
【図１１】ＳＴＥＰ４の詳細な処理を表すフローチャートである。
【図１２】製図用紙を表した図である。
【図１３】製図用紙に線図を書き込んだ状態を表した図である。
【図１４】代替マークを表示した製図用紙を表した図である。
【発明を実施するための形態】
【実施例１】
【００１９】
本発明の第１実施例を図に基づいて説明する。
図１は、本実施例のハードウェア構成および機能構成を示した図である。
本実施例で利用される仮想現実作成装置としての携帯端末１は、情報処理部２とカメラ３と表示モニタ４とを備える。
情報処理部２は、位置マーカー情報取得部１１、縮尺判断部１２、家具表示部１３とを備える。
【００２０】
カメラ３は、図面２２と位置マーカー２１の画像を撮影し、これを位置マーカー情報取得部１１に送信する。
位置マーカー情報取得部１１は、カメラ３が撮影した位置マーカー２１の画像をカメラ３から受信し、その画像を解析し、解析結果を縮尺判断部１２に送信する。
縮尺判断部１２は、位置マーカー取得部１１から解析結果を受信し、それに基づき表示する仮想の家具の縮尺率を取得し、その縮尺率により仮想家具を表示するよう家具表示部１３に命令する。
家具表示部１３は、取得した縮尺率により表された仮想家具を、図面２２の画像に重ね合わせ、その画像を表示モニタ４に表示する。
【００２１】
図２は、図面を表示した用紙（図表示用紙２０）である。
この図表示用紙２０には、マンションの間取りの平面図面２２が表されており、平面図面２２と同一紙面上に位置マーカー２１が表示されている。この位置マーカー２１は、従来のＡＲ技術で利用されているものである。位置マーカー２１は、図表示用紙２０とは別体の用紙（シール状の用紙）に印刷されており、このシールを図表示用紙２０の所定の場所に貼り付けることにより、図表示用紙２０に表示される。なお、位置マーカー２１は、図表示用紙２０に予め印刷してもよい。
【００２２】
次に、携帯端末１の表示モニタ４に表示される内容について説明する。
図３は、携帯端末１が図表示用紙２０と位置マーカー２１とを撮影している状態であり、これにより仮想家具を表示する位置が特定される。また、表示モニタ４には、表示可能な家具の種類を選択する選択ボタン２３が表示されている。なお、ここではテーブルが選択されたものとする。
図４は、仮想家具としてのテーブル２４を、図表示用紙２０上の任意の場所に表示した図である。
図５は、家具購入希望者が図４のテーブル２４を指で触れ、ドラッグアンドドロップすることによりダイニングキッチンの中央に移動させた図である。
【００２３】
次に、携帯端末１に記憶されているデータについて説明する。
図６は、縮尺データであり、位置マーカー２１のサイズと、表示する仮想家具の縮尺率とを関連づけたものである。例えば、情報処理部２は、位置マーカー２１のサイズが２センチ四方の場合は、仮想家具を８０分の１で表示する。
【００２４】
図７は、家具データ（１）であり、家具の種類と家具のイメージデータとを関連づけたものである。例えば、図３の選択ボタン２３においてテーブルが選択された場合、情報処理部２は、テーブル２４のイメージデータを表示モニタ４に表示する。
【００２５】
図８は、家具データ（２）であり、位置マーカー特定情報と、縮尺率と、家具の種類と、家具のイメージデータとを関連づけたものである。図６および図７と異なり、位置マーカー２１には位置マーカー特定情報が含まれ、その情報から縮尺率や家具の種類を特定することができるようにしたデータである。
【００２６】
次に、本実施例の処理手順について説明する。
図９は、本実施例の処理手順を示すフローチャートである。このフローチャートは、位置マーカー貼り付け処理（ＳＴＥＰ１）、位置マーカー情報取得処理（ＳＴＥＰ２）、縮尺判断処理（ＳＴＥＰ３）、家具選択・表示処理（ＳＴＥＰ４）とからなる。
【００２７】
ＳＴＥＰ１は、位置マーカー貼り付け処理である。
前述の通り、位置マーカー２１は、シール状の用紙に印刷されており、このシールは図表示用紙２０の所定の場所に貼り付けられる。なお、位置マーカー２１は、図表示用紙１０に予め印刷してもよい。すなわち、位置マーカー２１は、何らかの手段により図表示用紙２０上に表示されていればよい。
【００２８】
ＳＴＥＰ２は、位置マーカー情報取得処理であり、詳細は図１０の通りである。
ＳＴＥＰ２−１は、カメラ起動処理である。家具購入希望者は、携帯端末１のカメラ機能を起動させ、カメラ３を図表示用紙２０に向ける。
【００２９】
ＳＴＥＰ２−２は、位置マーカー検知処理である。
位置マーカー情報取得部１１は、カメラ３から撮影画像を受信し、そこに位置マーカー２１が存在するか否かを判断する。存在する場合は図２２の画像と位置マーカー２１の画像とを取得して、ＳＴＥＰ２−３に進み、存在しない場合は存在するまでＳＴＥＰ２−２を繰り返す。なお、この位置を検知することにより図表示用紙２０の表面の位置が特定でき、これにより仮想の家具の表示位置を特定できる。
【００３０】
ＳＴＥＰ２−３は、位置マーカーサイズ取得処理である。
位置マーカー取得部１１は、検知した位置マーカー２１のサイズを検知（取得）する。なお、位置マーカー２１のサイズは、位置マーカー２１から取得した情報に含まれている場合でもよいし、位置マーカー２１を撮影した画像からサイズを検知してもよい。
【００３１】
ＳＴＥＰ２−４は、位置マーカー特定情報取得処理である。
位置マーカー情報取得部１１は、検知した位置マーカー２１から位置マーカー特定情報を取得する。すなわち、位置マーカー２１の模様や図形から「Ｍ００１」などのような情報を取得する。また、位置マーカー２１の情報に基づいて家具の表示位置を特定する。
【００３２】
ＳＴＥＰ３は、縮尺判断処理である。
縮尺判断部１２は、取得した位置マーカー２１のサイズと、図６「縮尺データ」とに基づき、表示する家具の縮尺率（家具の表示サイズ）を判断する。例えば、位置マーカー２１のサイズが２センチ四方の場合は「１／８０」という縮尺率を取得する。これにより、縮尺率を手入力することなく図面２２の縮尺率に合致した家具の表示サイズが決定され、現実の家具の１／８０のサイズの仮想家具が表示される。
また、取得した位置マーカー特定情報と図８の「家具データ（２）」とに基づいて縮尺率を判断してもよい。例えば、取得した位置マーカー特定情報が「Ｍ００２」の場合、「１／６０」という縮尺率を取得する。
【００３３】
ＳＴＥＰ４は、家具選択・表示処理であり、詳細は図１１の通りである。
ＳＴＥＰ４−１は、家具種表示処理である。
家具表示部１３は、図３のように家具の種類の選択ボタン２３を表示モニタ４に表示する。
【００３４】
ＳＴＥＰ４−２は、家具選択処理である。
家具表示部１３は、家具の種類が選択されたか（タップされたか）否かを判断し、選択された場合はＳＴＥＰ４−３に進み、選択されていない場合はＳＴＥＰ４−２を繰り返す。
【００３５】
ＳＴＥＰ４−３は、家具選択処理である。
家具表示部１３は、選択された家具のイメージを、検知した位置マーカー２１の情報と取得した縮尺率とに基づいて表示モニタ４に表示する。すなわち、仮想の家具（テーブル２４）の画像を、図表示用紙２０上の図２２の画像に重ね合わせ、あたかも図面２０の上にテーブル２４が設置されているかのような仮想現実画像を作成し、これを表示モニタ４に表示する。
なお、本実施例では、家具の種類を選択ボタン２３を用いて決定しているが、図８のように位置マーカー特定情報（種類特定情報）に基づいて家具の種類を決定してもよい。
【実施例２】
【００３６】
本発明の第２の実施例を図に基づいて説明する。
図１２の符号３０は製図用紙である。この製図用紙３０には、実施例１で説明した位置マーカー２１が表示されている。また、位置マーカー２１と同一紙面上に、図面作成の補助をするための補助線３１が格子状に表示されている。図面作製者は、この補助線３１に従って図１３のように図面を書き進め、図面を完成させる。これにより実施例１と同様、図面上に仮想の家具を表示させることができる。
【００３７】
図１４は図１２の製図用紙３０と同様のものであるが、代替マーク３２が表示されている点で異なる。この代替マーク３２は携帯端末１が位置マーカー２１を検知できなくなった場合に使用されるものである。以下、代替マーク３２について説明する。
上記の通り、本発明では、位置マーカー２１を手がかりに製図用紙３０の表面の位置を特定し、それにより家具が製図用紙３０上に置かれているかのような仮想画像を作成する。しかし、家具購入希望者が携帯端末１を動かしているうちに、位置マーカー２１がカメラ３の撮影範囲から外れてしまうこと（フレームアウトしてしまうこと）があり、この場合、携帯端末１は製図用紙３０の表面の位置を特定できなくなってしまう。
【００３８】
実施例１の場合であれば、ダイニングキッチンの形状など図面２２に表された特異な形を手がかりに用紙の表面を特定できる。すなわち、携帯端末１は、位置マーカー２１で用紙の表面を特定すると共に、図面２２に表されている特異な形状を検知して、位置マーカー２１がフレームアウトした際にはその特異な形状を基に用紙の表面を特定するのである。
しかし、本実施例の製図用紙３０の場合、格子状の補助線３１（同じ形状の複数の四角形）が表示されているだけで、特異な形状がないため、位置マーカー２１がフレームアウトすると製図用紙３０の表面を特定できない。
そこで、製図用紙３０上に各々異なる形状（数字を含む）、または異なる模様、または異なる色により構成される代替マーク３２を複数表示する。これにより、位置マーカー２１がフレームアウトした場合でも、代替マーク３２を手がかりに製図用紙３０の表面を特定することができる。なお、代替マーク３２は、位置マーカー２１と接近した位置ではなく、所定の間隔・距離を空けて表示することが好ましい。また、代替マーク３２は紙面上に複数表示されていてもよいし、１つだけ表示されていてよい。
【００３９】
本実施例では、特定の例に基づいて本発明の内容を説明したが、本発明はこれに限るものではない。また、携帯端末の例としては、スマートフォン、タブレット型のＰＣ、携帯電話など様々な機器が利用される。更に、上記実施例では家具を例に説明したが、これに限るものではなく、キッチンや家電などの他の室内設置物であってもよい。
【００４０】
この実施例は本発明の範囲を限定するものではない。本実施例で説明した各処理はどの装置で行ってもよい。
また、本実施例で説明したシステム構成（ハードウェア構成）は一例であり、用途や目的に応じて様々な構成があることは言うまでもない。
更に、本実施例で説明したデータ構成は一例であり、用途や目的に応じて様々なデータ構成があることは言うまでもない。
【００４１】
なお、上記の処理機能は、コンピュータによって実現することができる。その場合、本発明に係る装置が有すべき機能の処理内容を記述した本発明に係るプログラムが提供される。そのプログラムをコンピュータで実行することにより、上記処理機能がコンピュータ上で実現される。処理内容を記述した本発明に係るプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ＨＤＤ、ＦＤ、磁気テープなどがある。光ディスクには、ＤＶＤ（Ｄｉｇｉｔａｌ  Ｖｅｒｓａｔｉｌｅ  Ｄｉｓｃ）、ＤＶＤ−ＲＡＭ、ＣＤ−ＲＯＭ、ＣＤ−Ｒ（Ｒｅｃｏｒｄａｂｌｅ）／ＲＷ（ＲｅＷｒｉｔａｂｌｅ）などがある。光磁気記録装置には、  ＭＯ（Ｍａｇｎｅｔｏ  Ｏｐｔｉｃａｌ  ｄｉｓｋ）などがある。
【００４２】
本発明に係るプログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００４３】
本発明に係るプログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置から本発明に係るプログラムを読み取り、そのプログラムに従った処理を実行する。
なお、コンピュータは、可搬型記録媒体からそのプログラムを読み取り、プログラムに従った処理を実行することもできる。また、コンピュータは、サーバコンピュータからプログラムが転送される毎に、逐次、受け取ったプログラムに従った処理を実行することもできる。
【００４４】
なお、本発明は、上述の実施の形態にのみ限定されるものではなく、本発明の要旨を逸脱しない範囲内において種々の変更を加えることができる。
【００４５】
上記については単に本発明の原理を示すものである。さらに、多数の変形、変更が当業者にとって可能であり、本発明は上記に示し、説明した正確な構成および  応用例に限定されるものではなく、対応するすべての変形例および均等物は、添付の請求項およびその均等物による本発明の範囲とみなされる。
【符号の説明】
【００４６】
１    携帯端末
２    情報処理部
３    カメラ
４    表示モニタ
２０  図表示用紙
２１  位置マーカー
２２  図面
２３  選択ボタン
２４  テーブル（仮想家具）
３０  製図用紙
３１  補助線
３２  代替マーク
【図１】
2016189124.tif 000003
【図２】
2016189124.tif 000004
【図３】
2016189124.tif 000005
【図４】
2016189124.tif 000006
【図５】
2016189124.tif 000007
【図６】
2016189124.tif 000008
【図７】
2016189124.tif 000009
【図８】
2016189124.tif 000010
【図９】
2016189124.tif 000011
【図１０】
2016189124.tif 000012
【図１１】
2016189124.tif 000013
【図１２】
2016189124.tif 000014
【図１３】
2016189124.tif 000015
【図１４】
2016189124.tif 000016